(57)【特許請求の範囲】
【請求項１】
粉塵を含んだ汚染空気を吸入する吸入口と、
前記吸入口に吸入された汚染空気中の粗粉塵を除去する第１フィルタが設けられた第１空間と、
前記第１フィルタで除去できなかった微粉塵を除去する第２フィルタが設けられた第２空間と、
前記第１空間および第２空間と隔離され、前記第１フィルタおよび第２フィルタにより粉塵が除去された浄化空気が流入する第３空間と、
前記第３空間に流入した浄化空気を吸引するファン装置が設けられた第４空間と、
前記第４空間内の浄化空気を外部へ排出する排出口と、
前記吸入口および排出口が設けられているとともに、前記第１空間ないし第４空間を内部に有するハウジングと、を備え、
前記ファン装置を駆動したときに、前記第１空間、第２空間および第３空間が負圧となり、前記第４空間が正圧となるようにした除塵機であって、
前記吸入口は、前記ハウジングの上面に開口した長方形の開口であり、
前記第１フィルタは、上部が前記吸入口と対応して開口しているとともに、上部から下部へ行くにしたがって、前記吸入口の長辺方向の幅が狭くなるような先細り形状をした袋状に形成されていて、前記吸入口から取り出し可能であり、
前記第１フィルタを前記吸入口に上方から挿入した状態で、前記第１フィルタの先細り形状の側面が、前記第２フィルタの側面と対向することを特徴とする除塵機。
【請求項２】
請求項１に記載の除塵機において、
前記ファン装置は、前記ハウジングに設けられた蓋を介して脱着可能なように、前記第４空間内に取り付けられていることを特徴とする除塵機。
【請求項３】
請求項１または請求項２に記載の除塵機において、
前記吸入口の周縁に、前記ハウジングの外方に向かって縁部が設けられ、
前記第１フィルタの上部が、前記縁部に引っ掛けられて、押え部材により固定されていることを特徴とする除塵機。
【発明の詳細な説明】
【技術分野】
【０００１】
本発明は、建築物等の解体・改修によって発生するアスベスト等により汚染された空気から粉塵を除去する除塵機に関する。
【背景技術】
【０００２】
老朽化した建築物等の解体・改修により発生する粉塵や、吸入することにより健康障害を起こす危険性の高いアスベスト等の除去作業については、厚生労働省労働基準局などにより作業手順を示したマニュアル等が発行されている。特に、アスベスト含有吹付け材の除去作業においては、発塵量が著しく多いことから、作業場所の隔離が義務付けられており、厳重なアスベスト飛散対策が要求されている。しかしながら、作業現場における隔離とは、厚さ０．１５ｍｍ程度のプラスチックシートで作業場所を覆い、シートをテープ止めするなどの簡易なものでしかない。そのため、隔離される作業現場内を負圧にし、粉塵等が隔離されたエリアから排出されないよう、負圧除塵機の使用が義務付けられている。
【０００３】
このような場所に使用される負圧除塵機として、下記の特許文献１に記載のものがある。この負圧除塵機は、汚染された空気を吸入ダクトから吸入し、プレフィルタ等によって粗粉塵を除去する第１空間と、ＨＥＰＡフィルタ（High Efficiency Particulate Air Filter）等によって微粉塵を除去する第２空間と、空気を吸引するためのファンが取り付けられている第３空間とを内部に有しており、第３空間においては、その空間のケーシング全体を分割することもできる。しかしながら、本文献では、第３空間内の空気全体がファンで吸引されるようになっており、ファンが回転している状態では第３空間の内部が負圧となるため、分割したケーシングを連結するフランジ部分の結合（ボルトとナット等による結合）が輸送中に弛んだりして、ケーシング連結部の密閉性が低下すると、当該連結部の隙間から直接外気を吸い込むこともあるため、結果的にフィルタを通さないままの汚染された空気を排出してしまうことになる。そのため、フィルタを通さない空気を排出しても問題がないように、図６に示すとおり、隔離された作業場所（解体作業場）Ｂの外に除塵機２００を置き、作業場所Ｂに汚染空気６０の導入ダクト５１を接続して除塵を行うという形態がとられていた。なお、図６において、５２はプレフィルタ、５３はサブフィルタ、５４はＨＥＰＡフィルタ、５５はファン、５６は排気用ダクトである。
【特許文献１】特開２００５−６１７００号公報
【発明の開示】
【発明が解決しようとする課題】
【０００４】
しかしながら、実際の作業現場では、粉塵発生が多く、比較的頻繁にプレフィルタを交換する必要があり、この交換時に、プレフィルタに付着したアスベストなどの有害物質が飛散するおそれがあるが、この飛散が生じても差支えないように、フィルタ交換の都度、隔離された作業場所の外から隔離場所内へ除塵機を移動させるのは面倒である。したがって、実際には、負圧除塵機を、隔離された作業現場に直接持ち込む場合がほとんどである。このため、ファンが取り付けられている第３空間が負圧となっている特許文献１の除塵機では、汚染された空気を第３空間に直接吸い込んだ場合、この汚染された空気はフィルタを通すことなく排出されてしまうため、アスベストなどの粉塵が浮遊する作業現場に持ち込んでの除塵は、二次災害を引き起こす危険が高いという問題があった。
【０００５】
また、上記の問題を避けるため、第３空間を取り外すことができないようにケーシングでこの負圧除塵機全体を覆った場合、重量が大きくなり、屋根裏などエレベータのない場所へ搬入したりする際には、持ち運びに多くの人手や重機などが必要となるなどの問題がある。
【０００６】
本発明は、上記の問題に鑑みてなされたもので、粉塵が浮遊する作業現場に持ち込んで除塵を行っても、汚染された空気を排出するおそれがない除塵機を提供することを目的としている。本発明の他の目的は、軽量で持ち運びのしやすい除塵機を提供することにある。また、本発明の他の目的は、効率良く除塵を行える除塵機を提供することにある。本発明のさらに他の目的は、メンテナンスの容易な除塵機を提供することにある。
【課題を解決するための手段】
【０００７】
本発明に係る除塵機は、粉塵を含んだ汚染空気を吸入する吸入口と、この吸入口に吸入された汚染空気中の粗粉塵を除去する第１フィルタが設けられた第１空間と、第１フィルタで除去できなかった微粉塵を除去する第２フィルタが設けられた第２空間と、第１空間および第２空間と隔離され、第１フィルタおよび第２フィルタにより粉塵が除去された浄化空気が流入する第３空間と、この第３空間に流入した浄化空気を吸引するファン装置が設けられた第４空間と、この第４空間内の浄化空気を外部へ排出する排出口と、前記吸入口および排出口が設けられているとともに、前記第１空間ないし第４空間を内部に有するハウジングとを備え、ファン装置を駆動したときに、第１空間、第２空間および第３空間が負圧となり、第４空間が正圧となるようにした除塵機であって、前記吸入口は、前記ハウジングの上面に開口した長方形の開口であり、前記第１フィルタは、上部が前記吸入口と対応して開口しているとともに、上部から下部へ行くにしたがって、前記吸入口の長辺方向の幅が狭くなるような先細り形状をした袋状に形成されていて、吸入口から取り出し可能となっている。また、前記第１フィルタを前記吸入口に上方から挿入した状態で、前記第１フィルタの先細り形状の側面が、前記第２フィルタの側面と対向するようになっている。
【０００８】
このようにすることで、粉塵の発生する隔離された作業現場内に除塵機を持ち込んで設置しても、第３空間には常に粉塵が除去されたきれいな空気が流入し、また、ファン装置を収容している第４空間が正圧に保たれるため、特許文献１のようにファンの収容空間の密封性が多少損なわれても、ファン装置が粉塵を含む空気を吸引するおそれがなく、汚染された空気がフィルタを通らずに外部へ排出されて二次災害を引き起こす危険を回避することができる。また、たとえ何らかの理由により、ファン装置の固定が弛んだり外れたりすることがあっても、空気は第４空間を循環するだけであり、汚染された外気をファン装置が積極的に吸引して外部へ排出するおそれがない。
【０００９】
また、ハウジングの上部から吸入口に吸入され第１フィルタに入った空気は、袋状の第１フィルタの内から外へ均一に流れるため、第２フィルタの全面に均一に空気が流れ、第２フィルタで偏りなく除塵が行われる。このため、空気を分散するための分散板などを設置する必要もなく、また、空気の流れが集中する部分のみで偏って除塵がされる場合と比較して、第２フィルタの除塵能力を最大限生かして効率の良い除塵を行うことができ、かつ、フィルタの寿命も長くなる。
【００１０】
また、第１フィルタを交換する際に、フィルタを吸入口からスムーズに取り出すことができ、フィルタが開口部に引っ掛かって集塵した有害物質が飛散することがないので、取り扱いがより安全になる。また、空気の流れによってフィルタが膨らみすぎると、フィルタの周囲に通風路がなくなるが、フィルタを吸入口の長辺方向の幅が狭くなるような先細り形状とすることで、フィルタの側方に通風路を確保できるので、フィルタ全体を有効に使って効率よく除塵を行うことができる。さらに、フィルタの膨らみ防止用のガイドが不要になるので、ハウジング内の構造が単純になり、メンテナンス清掃もより簡単にできる。
【００１１】
本発明の好ましい実施形態においては、ファン装置は、ハウジングに設けられた蓋を介して脱着可能なように、第４空間内に取り付けられている。
【００１２】
このようにすることで、重量物であるファン装置を除塵機本体から取り外すことができるので、本体が軽量で持ち運びやすくなり、また、除塵機本体とファン装置とを分離して粉塵の発生する隔離された作業現場に持ち込み、現場でそれらを組み立てることができるので、重機などを使うことなく作業現場に除塵機を持ち込むことができる。したがって、エレベータのない作業場所であっても簡単に搬入することができる。
【００１３】
また、本発明において、吸入口の周縁に、ハウジングの外方に向かって縁部が設けられ、第１フィルタの上部が、前記縁部に引っ掛けられて、押え部材により固定されているような実施形態を採用してもよい。
【発明の効果】
【００１５】
本発明によれば、ファン装置を駆動したときに、第１〜第３空間が負圧、第４空間が正圧となるようにしたので、隔離された作業現場に直接除塵機を持ち込んで除塵を行っても、汚染された空気を排出してしまうおそれがなく、二次災害を未然に防止することができる。
【発明を実施するための最良の形態】
【００１６】
図１〜図５は、本発明の実施形態を示す図であって、図１は除塵機の正面図、図２は除塵機の平面図、図３は除塵機の使用形態を示す図、図４および図５はプレフィルタを示す図である。
【００１７】
図１および図２を参照して、本発明に係る除塵機１００の構造を説明する。１は装置全体を囲う箱型のハウジングであって、後述するフィルタ１２、１３が収納されるフィルタ収納部１ａと、後述するファン装置３３が収納されるファン収納部１ｂとからなる。フィルタ収納部１ａの上面には吸入口２が設けられている。この吸入口２は、図２に示すように、ハウジング１の幅方向に延びる長方形の広い開口となっている。吸入口２の周縁には、図１のように、ハウジング１の外方に向かって５〜１０ｃｍ程度の高さの縁部３が設けられている。フィルタ収納部１ａの正面と背面には、図２のようなメンテナンス用の大小の扉４、５が開閉自在に設けられている。扉４、５の内側にはパッキンが取り付けられているため、図示しないキャッチクリップなどにより扉４、５を閉じると、扉部分は密閉状態となる。
【００１８】
ファン収納部１ｂの上面には、開口部６が設けられている。７は開口部６を塞ぐ上蓋であって、図示しないパッキンを介して、ボルト等によりファン収納部１ｂの上面に取り付けられる。これによって、開口部６は密閉される。また、ファン収納部１ｂの側面には、排出口ダクト９が取り付けられていて、排出口８が形成されている。排出口ダクト９には、排気用ダクト４０の一端が連結される。排気用ダクト４０と排出口ダクト９の連結部は、パッキンやテープ等により密閉される。
【００１９】
なお、本実施形態では、ハウジング１全体の軽量化を図るため、図１に示すように、ファン収納部１ｂの高さをフィルタ収納部１ａの高さより３分の１程度低くして両者の間に段差を設け、ファン収納部１ｂをフィルタ収納部１ａよりも一回り小さい略立方体としてあるが、ファン収納部１ｂの高さはフィルタ収納部１ａの高さと同じであってもよい。
【００２０】
ハウジング１の底面には、除塵機１００を人力でも持ち運びできるように、キャスタ１０が４個以上設けられている。また、ハウジング１の左右両側面には、持ち運び用の取手１１が設けられている。
【００２１】
ハウジング１の内部には、上流側（図１の左側）から下流側（図１の右側）へ順に、汚染空気中の粗粉塵を除去するためのプレフィルタ１２と、このプレフィルタ１２で除去できなかった微粉塵を除去するためのＨＥＰＡフィルタ１３と、上蓋７を介して脱着可能なファン装置３３が配設されている。ファン装置３３は、両端が開口した中空の筒体３４と、この筒体３４の下部に設けられた座部３５とを有しており、筒体３４の内部には、吸引ファン１４とこれを駆動するモータ等が組み込まれている。ここで、プレフィルタ１２は本発明における第１フィルタの一実施形態を構成し、ＨＥＰＡフィルタ１３は本発明における第２フィルタの一実施形態を構成する。
【００２２】
プレフィルタ１２は、上部が吸入口２と対応して開口しているとともに、袋状をしており、上方から吸入口２へ挿入される。挿入後、プレフィルタ１２の上面を折り返して、縁部３に引っ掛ける。縁部３に引っ掛けられたプレフィルタ１２は、プレフィルタ用押え部材を兼ねるインレット１５によって固定される。ここで、プレフィルタ１２は、図４（ｃ）に示すように、上部から下部へ行くにしたがって幅が狭くなる先細り形状をしており、吸入口２から吸入した空気によって膨らみ過ぎない大きさとなっている。
【００２３】
ＨＥＰＡフィルタ１３は箱型をしており、０．３μｍの粒子を９９．９７％捕集できる高性能のフィルタである。ＨＥＰＡフィルタ１３の上流側の外枠には押し付け金具１６が固定されているとともに、下流側の外枠にはパッキン１９が取り付けられている。１７はハウジング１の内部に固定された板であって、この板１７に溶接されたナットに固定用ボルト１８を挿入し、その先端を押し付け金具１６に押し付けることにより、ＨＥＰＡフィルタ１３を、パッキン１９を介してフィルタ支持部材２０に圧接させる。ここで、フィルタ収納部１ａの内部空間のうち、プレフィルタ１２を収容する空間を第１空間２１とし、ＨＥＰＡフィルタ１３を収容する空間を第２空間２２とする。
【００２４】
ＨＥＰＡフィルタ１３の下流側には、吸引ファン１４によって吸引された空気がＨＥＰＡフィルタ１３全体を均一に通るように、一定の距離と空間を維持してファン装置３３を設置する。ここで、フィルタ支持部材２０の右側から、ファン装置３３の取り付け口２３までの空間を第３空間２４とする。ファン装置３３の取り付け口２３は、パッキン２７を介して第３空間２４の開口部に取り付けられ、これによって、第３空間２４と、筒体３４の内部空間とが連通する。そして、取り付け口２３は、吸引ファン１４によって吸引される第３空間２４内の空気の取込口となる。第３空間２４は、吸引ファン１４に空気が均一に吸引され、案内されるように、図１に示すような直方体の空間であってもよいし、あるいは、下流側に向かって側面積が絞られていく錐状の空間であってもよい。いずれにせよ、第３空間２４は、第１空間２１および第２空間２２から隔離された密閉空間とする。この第３空間２４には、吸入口２から吸入されてプレフィルタ１２とＨＥＰＡフィルタ１３で粗粉塵、微粉塵が除去されたきれいな空気（浄化空気）が、ＨＥＰＡフィルタ１３を通して流入する。
【００２５】
吸引ファン１４が回転している状態では、第１空間２１、第２空間２２および第３空間２４の空気が吸引ファン１４により吸引されるため、これらの各空間内の圧力は負圧（大気圧より低い圧力）となる。そして、大気圧をＰｏ、第１空間２１の圧力をＰ１、第２空間２２の圧力をＰ２、第３空間２４の圧力をＰ３としたとき、これらは、Ｐｏ＞Ｐ１＞Ｐ２＞Ｐ３の関係にある。
【００２６】
ファン収納部１ｂに収納されるファン装置３３は、図２に示すように、ファン収納部１ｂの内側に溶接等によって取り付けられた留め金２５に、ファン装置３３の筒体３４に取り付けられたキャッチクリップ２６のアームを引っ掛けて固定される。キャッチクリップ２６に代えて長ネジを用いてファン装置３３を固定してもよいが、固定手段としては、ファン装置３３の脱着に工具が要らない簡単なものが望ましい。ファン装置３３の座部３５は、図１のように、ファン収納部１ｂの底面に載置される。
【００２７】
フィルタ支持部材２０から下流側は、パッキン１９とフィルタ支持部材２０によって密閉されているため、フィルタ１２、１３によって粉塵を除去されたきれいな空気だけが、第３空間２４からファン装置３３の筒体３４内へ導入される。このファン装置３３が収納されている空間を第４空間２８とする。第４空間２８においては、ファン収納部１ｂの開口部６は、前述のようにパッキン（図示省略）により密閉されている。また、ファン装置３３の取り付け口２３にはパッキン２７が取り付けられており、取り付け口２３の周縁も密閉されている。さらに、排出口ダクト９と排気用ダクト４０との連結部も、前述のようにパッキン等で密閉されている。このため、第４空間２８は、排出口８を除いて密閉された空間となっている。しかも、取り付け口２３の周縁がパッキン２７で密閉されていることから、吸引ファン１４は第３空間２４の空気のみを吸引し、第４空間２８内の空気は吸引しない。したがって、吸引ファン１４が回転している状態では、ファンが一種の空気圧縮機となって、第３空間２４から筒体３４を通って第４空間２８に導入された空気が増圧され、第４空間２８は正圧（大気圧より高い圧力）となる。この結果、第３空間２４から第４空間２８へ導入されたきれいな空気は、排出口８を介して外部へ吐出される。
【００２８】
第４空間２８の内部には、図示しないコンセントが設置されており、このコンセントにファン装置３３に設けられている図示しないプラグを差し込む。そして、図１に示すように、ハウジング１の外部に電源コード２９を伸ばして作業場所のコンセントに接続し、スイッチ３０で電源をオンすることにより、ファン装置３３を駆動して、吸引ファン１４を回転させる。
【００２９】
第２空間２２には、微差圧計３１が設けられている。この微差圧計３１は、ＨＥＰＡフィルタ１３の上流と下流の圧力差を検知して、ＨＥＰＡフィルタ１３の交換時期を知らせるためのものである。
【００３０】
上述した除塵機１００は、図３に示すように、粉塵が浮遊する作業場所Ａに直接持ち運ばれる。例えば、作業場所Ａが大量の粉塵を発生させるアスベストの除去作業現場であれば、除去作業を始める前に、必ず粉塵飛散抑制剤の吹き付けを行い、アスベスト表面を湿潤させる。除去作業により大きな塊は床上に落ちるが、飛散抑制剤がアスベスト全体に完全には浸透しないことから、アスベストの微細な粉塵が空気中に浮遊する。そこで、この粉塵を除塵機１００によって吸入し、除塵後のきれいな空気だけを、排気用ダクト４０を通して外部へ排出する。
【００３１】
このように粉塵が空気中に浮遊する作業現場Ａに除塵機１００を直接持ち込んだ場合、吸引ファン１４が、直接粉塵を含む空気を吸引してしまうと、フィルタ１２、１３によって粉塵が除去されないままの汚染された空気が外部へ排出され、二次災害を引き起こしてしまう。しかるに、本発明の除塵機１００においては、パッキン１９とフィルタ支持部材２０により、第３空間２４が第１空間２１および第２空間２２と完全に隔離されているため、第１空間２１、第２空間２２を流れる汚染された空気が、ＨＥＰＡフィルタ１３によって粉塵を除去されたきれいな空気が流れる第３空間２４に漏れることがない。また、頻繁に開閉するメンテナンス用の扉４、５における密閉性が多少損なわれたとしても、扉の隙間部分から吸引された空気は必ずＨＥＰＡフィルタ１３を通過するし、前述のように、ファン収納部１ｂの開口部６や取り付け口２３の周縁部、ダクト９、４０の連結部などは、いずれも密閉された状態にあるので、これらの部分からファン収納部１ｂ内に汚染空気が流入することもない。この結果、第４空間２８には汚染空気が流入せず、フィルタ１２、１３によって粉塵を除去されたきれいな空気だけが、吸引ファン１４を通して排出口８から外部へ排出される。
【００３２】
また、前述のように、吸引ファン１４が回転している状態では、第４空間２８は正圧となっているので、開口部６やダクト９、４０の連結部などに隙間があっても、第４空間２８の内部は、わずかではあるが正圧状態を維持することができる。このため、ファン装置３３の脱着のために上蓋７を頻繁に開閉することや、排気用ダクト４０を頻繁に取り外したりすることに基因して密閉性が損なわれた場合でも、汚染空気が密閉不良の箇所から第４空間２８内へ流入するのを阻止することができる。したがって、吸引ファン１４が粉塵を含んだ空気を直接吸引してしまうことはなく、フィルタ１２、１３によって粉塵を除去されたきれいな空気だけが、吸引ファン１４を通して排出口８から外部へ排出される。
【００３３】
ところで、従来の負圧除塵機では、図６に示すように、導入ダクト５１が接続される吸入口は、本体の側面に設けられている。この吸入口は円形をしており、その径に合わせて袋状のプレフィルタ５２が、図のように横向きに装着される。このため、導入ダクト５１からプレフィルタ５２内に吸入された空気は、フィルタ内を水平方向に流れ、ＨＥＰＡフィルタ５４で粉塵を除去する際には、導入ダクト５１に沿った部分のみに空気の流れが集中するので、ＨＥＰＡフィルタ５４全体が有効に利用されず、除塵効率が低下する。そこで、この対策として、プレフィルタ５２の奥部内面中央に、空気を分散させて均一化させるための分散板（例えば、円形シート）を設けたりしなければならなかった。また、空気の流れがプレフィルタ５２内で水平となることから、ダクト径によってフィルタ口の径が決まり、濾過面積を大きくするには、プレフィルタ５２の長さを大きくしなければならないため、それに伴って装置本体の左右長さが大きくなるという問題があった。
【００３４】
これに対して、本発明の除塵機１００の場合は、図１で示したように、吸入口２はハウジング１の上面に設けられていて、図２のようにハウジング１の幅方向に延びる長方形の広い開口となっている。このため、プレフィルタ１２の横幅（図１で紙面と垂直方向の幅）をハウジング１の横幅と同程度に確保することができ、また、プレフィルタ１２の縦幅（図１で上下方向の幅）をハウジング１の縦幅と同程度に確保することができる。この結果、プレフィルタ１２の側面積を、ＨＥＰＡフィルタ１３の側面積と略同じ大きさにすることができ、このようにすることで、ハウジング１の上部から吸入口２に吸入されプレフィルタ１２に入った空気は、側面積の大きい袋状のプレフィルタ１２の内から外へ均一に流れる。したがって、プレフィルタ１２の側面とＨＥＰＡフィルタ１３の側面とを対向させることによって、ＨＥＰＡフィルタ１３の全面に均一に空気が流れ、ＨＥＰＡフィルタ１３で偏りなく除塵が行われる。このため、空気を分散するための分散板などを設置する必要もなく、また、空気の流れが集中する部分のみで偏って除塵がされる場合と比較して、ＨＥＰＡフィルタ１３の除塵能力を最大限生かして効率の良い除塵を行うことができ、フィルタの寿命も長くなる。さらに、装置本体の左右長さを大きくしなくても、大きな濾過面積を確保することができる。
【００３５】
図４は、プレフィルタ１２の形状を示す図であって、（ａ）はフィルタ収納部１ａの部分平面図、（ｂ）は（ａ）のＹ−Ｙ断面図、（ｃ）は（ａ）のＸ−Ｘ断面図である。また、図５は、プレフィルタ１２の他の形状を示す図であって、（ａ）はフィルタ収納部１ａの部分平面図、（ｂ）は（ａ）のＹ−Ｙ断面図、（ｃ）は（ａ）のＸ−Ｘ断面図である。
【００３６】
図４のプレフィルタ１２は、（ｃ）に示されるように、上部から下部へ行くにしたがって吸入口２の長辺方向の幅が狭くなるような先細り形状をしている。そして、プレフィルタ１２の先細り形状の側面が、ＨＥＰＡフィルタ１３の側面と対向する。このような形状にすることで、プレフィルタ１２を交換する際に、フィルタを吸入口２からスムーズに取り出すことができ、フィルタが吸入口２に引っ掛かって集塵した有害物質が飛散することがないので、取り扱いがより安全になる。また、図５のような先細り形状をしていないプレフィルタ１２の場合は、空気の流れによってフィルタが膨らみすぎると、フィルタの周囲に通風路がなくなるが、図４のようにフィルタを先細り形状とすることで、空気の流れによってフィルタが膨らみすぎることがなく、フィルタ側方の通風路を確保できるので、フィルタ全体を有効に使って効率よく除塵を行うことができる。さらに、フィルタの膨らみ防止用のガイドが不要になるので、ハウジング１内の構造が単純になり、メンテナンス用の扉４を開けたときに、内部の掃除がしやすくなる。
【００３７】
プレフィルタ１２を交換する際は、吸入口２のインレット１５（図１）をはずしてプレフィルタ１２を取り出すのであるが、フィルタが空気によって膨らみすぎて開口部２から取り出しにくい場合に備えて、膨らみ防止用のガイドを設ける代わりに、図４（ｃ）のように、プレフィルタ１２の左右中間位置の下側において、縦に縫込み１２ａを入れてもよい。このような縫込み１２ａを入れると、プレフィルタ１２が中間部で縫合されて絞られるので、フィルタ収容部１ａの内部（第１空間２１）においてプレフィルタ１２の周囲に空間が確保され、吸入口２から吸入された空気は、プレフィルタ１２の下流側に集中して流れることなく、上流側を介しても流れるため、袋状のプレフィルタ１２全体で効率よく集塵できる。さらに、膨らみ防止用のガイドが不要なため、ハウジング１内の構造が単純になり、メンテナンス清掃もより簡単にできる。なお、吸入口２から取り出した使用済みのプレフィルタ１２は、口を縛って廃棄する。
【００３８】
ＨＥＰＡフィルタ１３の交換は、図２のように、メンテナンス用の扉５を開いて行う。新しいＨＥＰＡフィルタ１３を取り付ける際には、ハウジング１の内部を真空掃除機で掃除することで、ＨＥＰＡフィルタ１３の寿命を延ばすことができる。
【００３９】
以上述べたように、本発明の除塵機１００は、粉塵の発生する隔離された作業現場に直接持ち込んでも、第３空間２４には常に粉塵が除去されたきれいな空気が流入し、また、第４空間２８は吸引ファン１４の回転によって正圧に保たれるため、吸引ファン１４が粉塵を含む空気を吸引するおそれがなく、汚染された空気がフィルタ１２、１３を通らずに外部へ排出されて二次災害を引き起こす危険を回避することができる。さらに、仮に何らかの原因で、ファン装置３３の固定が弛んだり外れたりしても、空気は第４空間２８を循環するだけであり、吸引ファン１４が汚染空気を積極的に吸引して外部へ排出するおそれはないので、ファン装置３３の取り付け口２３における密閉性は、過度の厳密さを要求されない。したがって、ファン装置３３の取り付けにあたっては、特許文献１のようなフランジ結合にする必要はなく、簡単なキャッチクリップ２６のようなものを使うことができ、ファン装置３３を容易に短時間で着脱することができる。
【００４０】
また、ハウジング１本体の重さは４０ｋｇ程度であり、さらにプレフィルタ１２、ＨＥＰＡフィルタ１３、ファン装置３３は脱着可能なため、除塵機１００の本体と、フィルタ１２、１３およびファン装置３３とを分離して作業現場に持ち込み、現場でそれらを組み立てることができるので、除塵機１００が軽量で持ち運びやすくなり、エレベータのない作業場所であっても簡単に搬入することができる。さらに、ハウジング１内部の構造がシンプルなため、メンテナンス用の扉４、５を開けたときの掃除もしやすく、しかもファン装置３３は工具なしで簡単に着脱できるなど、メンテナンス性にきわめて優れている。
【００４１】
もちろん、本発明の除塵機１００は、隔離された作業場所に直接持ち込まずに、図６の使用形態のように、吸気用の導入ダクトを接続して作業場所とは別の場所で使用することもできる。また、上記実施形態では、フィルタとしてプレフィルタ１２とＨＥＰＡフィルタ１３のみを設けたが、集塵する物質に応じて、ＨＥＰＡフィルタ１３の前または後に、活性炭入りフィルタを装着することもでき、その場合はダイオキシンなどを除去することができる。さらに、高価なＨＥＰＡフィルタ１３の寿命を延ばすため、プレフィルタ１２とＨＥＰＡフィルタ１３の中間の性能を有する中性能フィルタを、プレフィルタ１２とＨＥＰＡフィルタ１３の間に装着することもできる。
【図面の簡単な説明】
【００４２】
【図１】本発明の実施形態に係る除塵機の正面図である。
【図２】同除塵機の平面図である。
【図３】同除塵機の使用形態図である。
【図４】プレフィルタを示す図である。
【図５】他のプレフィルタを示す図である。
【図６】従来例を示す図である。
【符号の説明】
【００４３】
１  ハウジング
１ａ  フィルタ収納部
１ｂ  ファン収納部
２  吸入口
８  排出口
９  排出口ダクト
１２  プレフィルタ
１３  ＨＥＰＡフィルタ
１４  吸引ファン
２１  第１空間
２２  第２空間
２４  第３空間
２８  第４空間
３３  ファン装置
４０  排気用ダクト
１００  除塵機
【図１】
0004753734.tif 000002
【図２】
0004753734.tif 000003
【図３】
0004753734.tif 000004
【図４】
0004753734.tif 000005
【図５】
0004753734.tif 000006
【図６】
0004753734.tif 000007